(57)【要約】      （修正有）【課題】異なる周波数帯の地域に移動しても、ＣＤＭＡ方式の携帯電話通信網で基地局から送信されている周波数帯を受信して、自動的に時刻修正を行うことのできる時刻修正装置を提供すること。【解決手段】腕時計１０は、制御部２９を有し、制御部２９は、各種プログラム格納部３０、第１の各種データ記憶部４０及び第２の各種データ記憶部５０内の各種データを処理する構成となっている。基地局信号の周波数を検出する各種プログラム格納部３０の周波数検出部は、第１の各種データ記憶部４０の基地局周波数情報格納部に格納された複数種類の基地局周波数情報と対応する基地局信号の周波数を検出して、基地局信号の周波数を受信可能周波数情報として第２の各種データ記憶部５０の受信可能周波数情報格納部に格納し、基地局信号を受信する。【選択図】図３
2008175634.tif 000002
【特許請求の範囲】
【請求項１】
携帯基地局から発信される時刻情報を含む携帯基地局信号を受信し、この携帯基地局信号に基づいて時刻表示部の表示時刻情報を修正する時刻修正装置であって、
前記携帯基地局が発する前記携帯基地局信号の周波数を検出する周波数検出部と、
前記携帯基地局から発信される前記携帯基地局信号に関する複数種類の携帯基地局周波数情報を格納する携帯基地局周波数情報格納部と、を有し、
前記周波数検出部は、
前記携帯基地局周波数情報格納部に格納された前記複数種類の前記携帯基地局周波数情報に基づいて当該携帯基地局から発信される前記携帯基地局信号の前記周波数を検出して、前記複数種類の前記携帯基地局周波数情報と対応する前記携帯基地局信号の前記周波数を検出した際には、前記携帯基地局信号の前記周波数を受信可能周波数情報として受信可能周波数情報格納部に格納し、前記携帯基地局信号を受信する構成となっていることを特徴とする時刻修正装置。
【請求項２】
前記複数種類の前記携帯基地局周波数情報は、バンドクラス毎に格納されていることを特徴とする請求項１に記載の時刻修正装置。
【請求項３】
前記複数種類の前記携帯基地局周波数情報の内で前記受信可能周波数情報として前記受信可能周波数情報格納部に格納される回数をカウントして検出回数情報として記憶する検出回数情報記憶部を有し、
前記検出回数情報記憶部は、前記複数種類の前記携帯基地局周波数情報と対応させて前記検出回数情報を記憶する構成となっており、
前記周波数検出部は、
前記複数種類の前記携帯基地局周波数情報に対応する前記検出回数情報の内で、前記検出回数情報が相対的に大きい前記検出回数情報に対応する前記複数種類の前記携帯基地局周波数情報順に前記携帯基地局から発信される前記携帯基地局信号の前記周波数を検出して、前記受信可能周波数情報格納部に前記受信可能周波数として前記携帯基地局信号の前記周波数を格納するまで検出する構成となっていることを特徴とする請求項１又は請求項２に記載の時刻修正装置。
【請求項４】
前記受信可能周波数情報格納部に格納されている前記受信可能周波数情報を前回受信携帯基地局周波数情報として記憶する前回受信携帯基地局周波数情報記憶部を有し、
前記周波数検出部は、
前記前回受信携帯基地局周波数情報を記憶した後の検出に際し、前記前回受信携帯基地局周波数情報を用いて前記携帯基地局信号の前記周波数を検出して、前記携帯基地局信号を受信する構成となっていることを特徴とする請求項１乃至請求項３のいずれか一項に記載の時刻修正装置。
【請求項５】
前記受信可能周波数情報として前記受信可能周波数格納部に格納されている前記携帯基地局信号の前記周波数が検出される携帯基地局信号受信日時と前記携帯基地局信号に対応する前記周波数に相当する前記携帯基地局周波数情報とを対応させて記憶する携帯基地局信号受信日時記憶部を有しており、
前記携帯基地局信号受信日時記憶部は、前記携帯基地局信号受信日時と前記携帯基地局周波数情報とを、前記受信可能周波数格納部に格納されている前記受信可能周波数情報が更新される順に対応するように順番に記憶する構成となっており、
前記周波数検出部は、
前記携帯基地局信号受信日時記憶部の前記順番で、又は前記順番と逆順に、前記携帯基地局周波数情報に基づいて当該携帯基地局から発信される前記携帯基地局信号の前記周波数を検出していき前記携帯基地局信号を受信して、前記受信可能情報を前記受信可能情報格納部に格納するまで検出する構成となっていることを特徴とする請求項１乃至請求項４のいずれか一項に記載の時刻修正装置。
【請求項６】
前記周波数検出部は、利用者が操作可能な外部入力部を介して入力し指定して検出する構成となっていることを特徴とする請求項１乃至請求項５のいずれか一項に記載の時刻修正装置。
【請求項７】
前記携帯基地局から発信される前記携帯基地局信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で前記携帯基地局から発信される信号であることを特徴とする請求項１乃至請求項６のいずれか一項に記載の時刻修正装置。
【請求項８】
携帯基地局から発信される時刻情報を含む携帯基地局信号を受信し、この携帯基地局信号に基づいて時刻表示部の表示時刻情報を修正する時刻修正装置付き計時装置であって、
前記携帯基地局が発する前記携帯基地局信号の周波数を検出する周波数検出部と、
前記携帯基地局から発信される前記携帯基地局信号に関する複数種類の携帯基地局周波数情報を格納する携帯基地局周波数情報格納部と、を有し、
前記周波数検出部は、
前記携帯基地局周波数情報格納部に格納された前記複数種類の前記携帯基地局周波数情報に基づいて当該携帯基地局から発信される前記携帯基地局信号の前記周波数を検出して、前記複数種類の前記携帯基地局周波数情報と対応する前記携帯基地局信号の前記周波数を検出した際には、前記携帯基地局信号の前記周波数を受信可能周波数情報として受信可能周波数情報格納部に格納し、前記携帯基地局信号を受信する構成となっていることを特徴とする時刻修正装置付き計時装置。
【請求項９】
携帯基地局から発信される時刻情報を含む携帯基地局信号を受信し、この携帯基地局信号に基づいて時刻表示部の表示時刻情報を修正する時刻修正方法であって、
前記携帯基地局が発する前記携帯基地局信号の周波数を検出する工程である周波数検出工程と、
前記携帯基地局から発信される前記携帯基地局信号に関する複数種類の携帯基地局周波数情報を格納する携帯基地局周波数情報格納部と、を有し、
前記周波数検出工程は、
前記携帯基地局周波数情報格納部に格納された前記複数種類の前記携帯基地局周波数情報に基づいて当該携帯基地局から発信される前記携帯基地局信号の前記周波数を検出して、前記複数種類の前記携帯基地局周波数情報と対応する前記携帯基地局信号の前記周波数を検出した際には、前記携帯基地局信号の前記周波数を受信可能周波数情報として受信可能周波数情報格納部に格納し、前記携帯基地局信号を受信する工程となっていることを特徴とする時刻修正方法。
【発明の詳細な説明】
【技術分野】
【０００１】
本発明は、例えばＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で携帯基地局から発信される信号に含まれる時刻情報に基づいて時刻修正を行う時刻修正装置、時刻修正装置付き計時装置及び時刻修正方法に関するものである。
【背景技術】
【０００２】
現在、ＣＤＭＡ方式の携帯電話通信網で携帯基地局から携帯電話機に対して発信される信号には、時刻情報が含まれ、この時刻情報は、ＧＰＳ（Ｇｌｏｂａｌ  Ｐｏｓｉｔｉｏｎｉｎｇ  Ｓｙｓｔｅｍ）衛星の原子時計に基づくＧＰＳ時刻に合致した極めて精度の高い時刻情報となっている。
したがって、このＣＤＭＡ方式の携帯電話通信網で携帯基地局から送信されるＧＰＳ時刻データを端末が取得し、このＧＰＳ時刻データを用いて内蔵時計の時刻データを補正しようとする提案がなされている（例えば、特許文献１）。
【特許文献１】特開２０００−３２１３８３号公報（要約等）
【発明の開示】
【発明が解決しようとする課題】
【０００３】
しかし、例えば、アメリカ合衆国のように、同一国内でありながら、ＣＤＭＡ方式の携帯電話通信網で携帯基地局から送信されるデータの周波数が異なる場合がある。また、この周波数は、各国別に異なる周波数で送信されており、例えば、携帯電話の場合には、ローミング契約との関係から契約した国と異なる国でサービスを受けたい場合には、利用者（以下ユーザーともいう）が周波数や国を手動で設定したり、携帯電話側からローミング契約に関係する情報等を携帯基地局に向けて送信する必要があった。
【０００４】
そこで、本発明は、利用者等が、異なる周波数帯の地域に移動しても、ＣＤＭＡ方式の携帯電話値通信網で携帯基地局から送信されている周波数帯を受信することができ、受信した周波数帯の送信データ等に基づき、自動的に時刻修正を行うことのできる、時刻修正装置、時刻修正装置付き計時装置及び時刻修正方法を提供することを目的とする。
【課題を解決するための手段】
【０００５】
前記課題は、本発明によれば、携帯基地局から発信される時刻情報を含む携帯基地局信号を受信し、この携帯基地局信号に基づいて時刻表示部の表示時刻情報を修正する時刻修正装置であって、前記携帯基地局が発する前記携帯基地局信号の周波数を検出する周波数検出部と、前記携帯基地局から発信される前記携帯基地局信号に関する複数種類の携帯基地局周波数情報を格納する携帯基地局周波数情報格納部と、を有し、前記周波数検出部は、前記携帯基地局周波数情報格納部に格納された前記複数種類の前記携帯基地局周波数情報に基づいて当該携帯基地局から発信される前記携帯基地局信号の前記周波数を検出して、前記複数種類の前記携帯基地局周波数情報と対応する前記携帯基地局信号の前記周波数を検出した際には、前記携帯基地局信号の前記周波数を受信可能周波数情報として受信可能周波数情報格納部に格納し、前記携帯基地局信号を受信する構成となっていることを特徴とする時刻修正装置により達成される。
【０００６】
前記構成によれば、時刻修正装置内に複数種類の携帯基地局周波数情報を予めもっているので、ユーザーが携帯基地局から発信される携帯基地局信号の周波数の異なる場所に移動した場合でも、この時刻修正装置内の複数種類の携帯基地局周波数情報に基づいて、各場所ごとの携帯基地局から発信されている時刻情報を含む携帯基地局信号を受信することができる。
このため、ユーザーが自ら受信周波数を設定したり、移動先を入力したりしなくとも、速やかに自動で各場所の携帯基地局から送信されてくる携帯基地局信号の周波数と時刻修正装置の受信周波数を調整でき、速やかに時刻情報を含む信号を受信して、時刻修正を自動で行うことができる。
【０００７】
例えば、携帯基地局から送信される携帯基地局信号の周波数は、複数種類の周波数から国によって都合のよい周波数を選択され使用されている。従って、使用している国が異なると、周波数設定を変更しないと使用できなくなってしまう。また、国によっては、一つの国の中でいくつかの周波数を用いている場合があり、このような場合は、同一国内の移動であっても、受信できない場合がある。しかし、本発明の構成によれば、時刻修正装置内に複数種類の携帯基地局周波数情報が格納されているので、この複数種類の携帯基地局周波数情報に基づいて、任意に周波数設定を変更することが可能となり、しかも、一定時間ごとに自動で、変更することができるので、利用者等を煩わせることなく、時刻修正を行うことができる。
【０００８】
好ましくは、前記複数種類の前記携帯基地局周波数情報は、バンドクラス毎に格納されていることを特徴とする時刻修正装置により達成される。
【０００９】
前記構成によれば、バンドクラス毎に格納されているので、使用されている周波数帯域ごとに速やかに確認することができる。
すなわち、各国で使用されている複数種類の携帯基地局周波数情報は、例えばバンドクラスの中から国毎に都合の良い周波数を選択している。従って、複数種類の携帯基地局周波数情報がバンドクラス毎に格納されていれば、そのバンドクラスに割当てられた周波数帯域ごとに確認できる。
【００１０】
好ましくは、前記複数種類の前記携帯基地局周波数情報の内で前記受信可能周波数情報として前記受信可能周波数情報格納部に格納される回数をカウントして検出回数情報として記憶する検出回数情報記憶部を有し、前記検出回数情報記憶部は、前記複数種類の前記携帯基地局周波数情報と対応させて前記検出回数情報を記憶する構成となっており、前記周波数検出部は、前記複数種類の前記携帯基地局周波数情報に対応する前記検出回数情報の内で、前記検出回数情報が相対的に大きい前記検出回数情報に対応する前記複数種類の前記携帯基地局周波数情報順に前記携帯基地局から発信される前記携帯基地局信号の前記周波数を検出して、前記受信可能周波数情報格納部に前記受信可能周波数として前記携帯基地局信号の前記周波数を格納するまで検出する構成となっていることを特徴とする時刻修正装置により達成される。
【００１１】
前記構成によれば、複数種類の携帯基地局周波数情報の内で受信可能周波数情報として受信可能周波数情報格納部に格納される回数をカウントして検出回数情報として記憶する検出回数記憶部は、この検出回数情報を複数種類の携帯基地局周波数情報と対応して記憶させており、この検出回数情報の内で、この検出回数情報が相対的に大きい検出回数情報に対応する複数種類の携帯基地局周波数情報順に携帯基地局から発信される携帯基地局信号の周波数を検出して、受信可能周波数情報格納部に受信可能周波数として、携帯基地局の周波数を格納するまで検出させる。このため、複数種類の携帯基地局周波数情報を最初から順番に検出することがなく、受信できる確率が高くなる。しかも、受信に要する時間の短縮できるため、時刻修正装置の消費電力を削減できる。そして、速やかに携帯基地局からの携帯基地局信号を受信することが可能となり、時刻修正を速やかに自動的に行うことができる。
【００１２】
好ましくは、前記受信可能周波数情報格納部に格納されている前記受信可能周波数情報を前回受信携帯基地局周波数情報として記憶する前回受信携帯基地局周波数情報記憶部を有し、前記周波数検出部は、前記前回受信携帯基地局周波数情報を記憶した後の検出に際し、前記前回受信携帯基地局周波数情報を用いて前記携帯基地局信号の前記周波数を検出して、前記携帯基地局信号を受信する構成となっていることを特徴とする時刻修正装置により達成される。
【００１３】
前記構成によれば、時刻修正の際に、前回受信した携帯基地局信号の周波数と対応する携帯基地局周波数情報を格納している受信可能周波数情報格納部から前回受信携帯基地局周波数情報として前回受信携帯基地局周波数情報として記憶しておき、この前回受信携帯基地局周波数情報を使って、前記前回受信携帯基地局周波数情報記憶部で記憶した後の検出に際し、言い換えると、今回の受信に際し、携帯基地局信号の周波数の検出を行えば、受信に要する時間の短縮と、時刻修正装置の消費電力を削減でき、速やかに携帯基地局からの携帯基地局信号を受信することが可能であり、時刻修正を速やかに行うことができる。
つまり、ユーザーが、前回と今回の時刻修正のタイミングにおいて、異なる周波数の携帯基地局信号を発信している携帯基地局の設置場所に移動していることはまれであり、前回の受信できた携帯基地局信号の周波数と対応する携帯基地局周波数情報を使用して、今回の検出を行えば、より受信確率が高くなり、さらに消費電力の低減も可能となる。
【００１４】
好ましくは、前記受信可能周波数情報として前記受信可能周波数格納部に格納されている前記携帯基地局信号の前記周波数が検出される携帯基地局信号受信日時と前記携帯基地局信号に対応する前記周波数に相当する前記携帯基地局周波数情報とを対応させて記憶する携帯基地局信号受信日時記憶部を有しており、前記携帯基地局信号受信日時記憶部は、前記携帯基地局信号受信日時と前記携帯基地局周波数情報とを、前記受信可能周波数格納部に格納されている前記受信可能周波数情報が更新される順に対応するように順番に記憶する構成となっており、前記周波数検出部は、前記携帯基地局信号受信日時記憶部の前記順番で、又は前記順番と逆順に、前記携帯基地局周波数情報に基づいて当該携帯基地局から発信される前記携帯基地局信号の前記周波数を検出していき前記携帯基地局信号を受信して、前記受信可能情報を前記受信可能情報格納部に格納するまで検出する構成となっていることを特徴とする時刻修正装置により達成される。
【００１５】
前記構成によれば、受信可能周波数情報として受信可能周波数格納部に格納されている携帯基地局信号の周波数が検出される携帯基地局信号受信日時と携帯基地局信号に対応する周波数に相当する前記携帯基地局周波数情報とを対応させて、かつ、受信可能周波数格納部に格納されている受信可能周波数情報が更新される順に対応するように順番に携帯基地局信号受信日時記憶部で記憶するようにしており、この順番でまたはこの順番とは逆順に前記携帯基地局周波数情報に基づいて当該携帯基地局から発信される前記携帯基地局信号の前記周波数を検出して、前記携帯基地局信号を受信して、前記受信可能情報を前記受信可能情報格納部に格納するまで検出されている。
【００１６】
このため、携帯基地局信号受信日時記憶部で記憶する携帯基地局信号受信日時の順番に又はこの順番とは逆順に、前記携帯基地局信号の前記周波数を検出することができるので、例えばユーザーが同様な経路で場所を移動する場合や、その経路とは逆に移動する場合など、その日時ごとに、受信できた携帯基地局の送信信号である携帯基地局信号の周波数に対応する携帯基地局周波数情報を記憶しておくので、ユーザーの移動に際し、速やかに携帯基地局からの携帯基地局信号を受信でき、時刻修正も速やかに行うことができ、さらに、時間短縮及び消費電力の低減もできる。また、携帯基地局信号受信日時記憶部で記憶する携帯基地局信号受信日時の順番に行っていけば、最新の携帯基地局信号受信日時に対応する携帯基地局周波数情報を使用して、ユーザーの存在する地域に対応する携帯基地局の携帯基地局信号の周波数を検出して、時刻修正に必要な情報を得ることができ、時刻修正が可能となる。そして、時刻修正装置の消費電力の低減を行うことができ、また、時刻修正の時間を短縮することが可能となる。
【００１７】
好ましくは、前記周波数検出部は、利用者が操作可能な外部入力部を介して入力し指定して検出する構成となっていることを特徴とする時刻修正装置により達成される。
【００１８】
前記構成によれば、周波数検出部が複数の携帯基地局周波数情報に基づいて構成を利用者が操作可能な外部入力部を介して入力して検出する構成となっているので、利用者の都合に合わせて検出する順番を設定することができる。
【００１９】
好ましくは、前記携帯基地局から発信される前記携帯基地局信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で前記携帯基地局から発信される信号であることを特徴とする時刻修正装置により達成される。
【００２０】
前記構成によれば、携帯基地局から発信される携帯基地局信号が、ＣＤＭＡ方式の携帯電話通信網で携帯基地局から発信される信号であるので、ＣＤＭＡ方式の携帯電話通信網を利用することで、精度の高い時刻修正を自動で行うことができる。  
【００２１】
前記課題は、携帯基地局から発信される時刻情報を含む携帯基地局信号を受信し、この携帯基地局信号に基づいて時刻表示部の表示時刻情報を修正する時刻修正装置付き計時装置であって、前記携帯基地局が発する前記携帯基地局信号の周波数を検出する周波数検出部と、前記携帯基地局から発信される前記携帯基地局信号に関する複数種類の携帯基地局周波数情報を格納する携帯基地局周波数情報格納部と、を有し、前記周波数検出部は、前記携帯基地局周波数情報格納部に格納された前記複数種類の前記携帯基地局周波数情報に基づいて当該携帯基地局から発信される前記携帯基地局信号の前記周波数を検出して、前記複数種類の前記携帯基地局周波数情報と対応する前記携帯基地局信号の前記周波数を検出した際には、前記携帯基地局信号の前記周波数を受信可能周波数情報として受信可能周波数情報格納部に格納し、前記携帯基地局信号を受信する構成となっていることを特徴とする時刻修正装置付き計時装置により達成される。
【００２２】
前記課題は、携帯基地局から発信される時刻情報を含む携帯基地局信号を受信し、この携帯基地局信号に基づいて時刻表示部の表示時刻情報を修正する時刻修正方法であって、前記携帯基地局が発する前記携帯基地局信号の周波数を検出する工程である周波数検出工程と、前記携帯基地局から発信される前記携帯基地局信号に関する複数種類の携帯基地局周波数情報を格納する携帯基地局周波数情報格納部と、を有し、前記周波数検出工程は、前記携帯基地局周波数情報格納部に格納された前記複数種類の前記携帯基地局周波数情報に基づいて当該携帯基地局から発信される前記携帯基地局信号の前記周波数を検出して、前記複数種類の前記携帯基地局周波数情報と対応する前記携帯基地局信号の前記周波数を検出した際には、前記携帯基地局信号の前記周波数を受信可能周波数情報として受信可能周波数情報格納部に格納し、前記携帯基地局信号を受信する工程となっていることを特徴とする時刻修正方法により達成される。
【発明を実施するための最良の形態】
【００２３】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
（第１実施の形態）
図１は、本発明に係る時刻修正装置付き計時装置である例えば、時刻修正装置付き腕時計１０（以下「腕時計」という）を示す概略図であり、図２は、図１の腕時計１０の内部の主なハードウエア構成等を示す概略図である。
図１に示すように、腕時計１０は、その表面に文字板１２、長針、短針等の針１３等が配置されると共に、各種メッセージが表示されるＬＥＤ等からなるディスプレイ１４が形成されている。なお、ディスプレイ１４は、ＬＥＤの他、ＬＣＤ、アナログ表示等でも構わない。
【００２５】
また、図１に示すように、腕時計１０は、アンテナ１１を有しており、このアンテナ１１は、ＣＤＭＡ基地局１５ａ、１５ｂ等からの信号を受信する構成となっている。つまり、ＣＤＭＡ基地局１５ａ等は、ＣＤＭＡ方式の携帯電話通信網の携帯基地局となっている。
しかし、本実施の形態の腕時計１０は携帯電話機能を有していないため、ＣＤＭＡ基地局１５ａ等と電話通信をするものではなく、ＣＤＭＡ基地局１５ａ等から送信される信号から時刻情報等を受信し、その信号に基づいて時刻修正をしようとするものである。ＣＤＭＡ基地局１５ａ等から送信される信号の内容については後述する。
また、図１に示すように、腕時計１０には、その利用者が操作可能なりゅうず２８が形成されている。
このりゅうず２８は、腕時計１０の利用者が操作可能な外部入力部の一例となっている。
【００２６】
先ず、図１の腕時計１０のハードウエア構成等について説明する。図２に示すように、腕時計１０はバス２０を備え、バス２０には、ＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３等が接続されている。
また、バス２０には、ＣＤＭＡ基地局１５ａ等からの信号を受信する受信部である例えば、ＣＤＭＡ基地局電波受信機２４が接続されている。このＣＤＭＡ基地局電波受信機２４は、図１のアンテナ１１を有している。
また、バス２０には、時計機構であるＩＣ（半導体集積回路）等からなるリアルタイムクロック（ＲＴＣ）２５や温度補償回路付水晶発振回路（ＴＣＸＯ）２６等も接続されている。
【００２７】
このように、図１の文字板１２、針１３、図２のＲＴＣ２５及びＴＣＸＯ２６等は、表示時刻情報を表示する時刻情報表示部の一例となっている。
【００２８】
また、バス２０には、電池２７が接続され、この電池２７は、受信部（例えば、ＣＤＭＡ基地局電波受信機２４）が通信を行うための電力を供給する電源部の一例となっている。
【００２９】
また、バス２０には、図１のディスプレイ１４やりゅうず２８が接続されている。このように、バス２０は、すべてのデバイスを接続する機能を有し、アドレスやデータパスを有する内部バスである。ＲＡＭ２２は、所定のプログラムの処理を行う他、バス２０に接続されたＲＯＭ２３等を制御している。ＲＯＭ２３は、各種プログラムや各種情報等を格納している。
【００３０】
図３乃至図６は、本実施形態における腕時計１０の主なソフトウエア構成等を示す概略図であり、図３は全体図である。
図３に示すように、腕時計１０は、制御部２９を有し、制御部２９は、図３に示す各種プログラム格納部３０内の各種プログラム、第１の各種データ記憶部４０内の各種データ及び第２の各種データ記憶部５０内の各種データを処理する構成となっている。
また、図３には、各種プログラム格納部３０、第１の各種データ記憶部４０及び第２の各種データ記憶部５０と分けて示してあるが、実際に、このようにデータが分けて格納されているわけではなく、説明上の便宜のために分けて記載したものである。
なお、図３の第１の各種データ記憶部４０には、主に予め格納されているデータをまとめて示した。また、第２の各種データ記憶部５０には、第１の各種データ記憶部４０内のデータ等を各種プログラム格納部３０内のプログラムで処理した後のデータ等を主に示した。
図４は、図３の各種プログラム格納部３０内のデータを示す概略図であり、図５は、図３の第１の各種データ記憶部４０内のデータを示す概略図である。また、図６は、図３の第２の各種データ記憶部５０内のデータを示す概略図である。
図７乃至図１０は、第１実施の形態にかかる腕時計１０の主な動作等を示す概略フローチャートである。
【００３１】
先ず、各実施の形態のフローチャート等の説明に入る前にＣＤＭＡ方式の携帯電話システムのうち、本実施の形態と関連ある部分を説明する。
ＣＤＭＡ方式の携帯電話システムは米国クアルコム社が開発した方式が１９９３年に米国の標準方式の一つ「ＩＳ９５」に採用されたことから本格的な運用が開始されており、これ以降、ＩＳ９５Ａ、ＩＳ９５Ｂ、ＣＤＭＡ２０００という改訂を経て現在に至っている。また、日本国ではＡＲＩＢ  ＳＴＤ−Ｔ５３に準じて携帯電話システムが運用されている。
このようなＣＤＭＡ方式は下り（ＣＤＭＡ基地局１５ａ等から移動局、本実施の形態では腕時計１０）は同期通信であるため、腕時計１０がＣＤＭＡ基地局１５ａ等の時刻データと同期する必要がある。ＣＤＭＡ基地局１５ａ等から送信されるＣＤＭＡ基地局信号である電波信号（以下、単に「信号」ともいう）は、具体的には、パイロットチャネル信号と、シンクチャネル信号を有している。パイロットチャネル信号は、ＣＤＭＡ基地局１５ａ等ごとに、異なったタイミングで送信されている信号であり、例えば、パイロットＰＮ信号である。
【００３２】
そして、このＣＤＭＡ基地局１５ａ等からの信号は、各国毎に異なる周波数を選択され使用されている。
従って、利用者等が異なる国に移動した場合は、周波数が異なるため、ＣＤＭＡ基地局１５ａ等からの信号を受信することができない。そこで、通常は、利用者等が手動で周波数の設定を変える動作等を行う必要がある。
また、使用される周波数帯域は、例えばＣＤＭＡ２０００（ＩＳ−２０００）に規定されているバンドクラス（以下「ＢＣ」という）毎に割当てられており、具体的にはＢＣ０からＢＣ１０までの１１種類に割当てられている。（図１３参照）そして、各国毎に都合の良いＢＣを使用している。その一例を図１３に示す。ここで、図１３に示すＢＣ０からＢＣ１０の各ＢＣは、携帯基地局から発信されている携帯基地局信号に関する複数種類の携帯基地局周波数情報の一例となっている。また、ＣＤＭＡ基地局１５ａ等は、携帯基地局等の一例であり、ＣＤＭＡ基地局信号またはＣＤＭＡ基地局信号である電波信号、あるいは、ＣＤＭＡ基地局から送信される信号は、全て携帯基地局信号の一例となっている。
例えば、日本は、ＢＣ３の周波数帯域を使用している。そして、利用者の使用している腕時計１０等が、このＢＣ３の周波数帯域の信号を受信できるように設定されていれば、ＣＤＭＡ基地局１５ａ等からの信号を受信できる。また、このＢＣ３を使用しているのは、日本なので、利用者が日本国内であることも分かる。
【００３３】
しかし、この設定のまま、利用者等が他国に移動した場合には、その他国で使用されているＢＣが異なるので、利用者の使用している腕時計１０の受信できる周波数の設定を変更しない限り、当該他国内のＣＤＭＡ基地局１５ａ等からの信号は受信できない。
また、アメリカ合衆国の場合は、ＢＣ０とＢＣ１の両方を使用しており、同一国内を移動した場合でも、異なる周波数の信号を発信しているＣＤＭＡ基地局１５ａ等の場所となる場合があり、この場合にはＣＤＭＡ基地局１５ａ等からの信号を受信することができない。
そして、ＣＤＭＡ携帯端末である場合は、地方別や国毎に異なる通信会社との通話ローミング契約が必要となり、この契約に対応する為、利用者等がＣＤＭＡ携帯端末を操作して、ＢＣや国名を手動で設定して、ＣＤＭＡ基地局１５ａ等との接続後ＣＤＭＡ携帯端末の情報をこのＣＤＭＡ携帯端末側から通話ローミング契約に必要な情報をＣＤＭＡ地局１５ａ等に送信することにより対応している。
【００３４】
しかしながら、本実施形態のように、腕時計１０等の場合は、通話ローミング契約に制約されることがない。これは、腕時計１０のような場合は、ＣＤＭＡ基地局１５ａ等からの送信される信号を受信するのみであるので、通話ローミング契約は不要であり、かつ、腕時計１０等の端末側からＣＤＭＡ基地局１５ａ等に情報を送信する必要もない。
【００３５】
ここで、ＣＤＭＡ基地局１５ａ、１５ｂ等から送信される信号について説明する。
図１９は、ＣＤＭＡ基地局１５ａ、１５ｂから送信される信号の同期タイミング等を示す概略図である。
これらのＣＤＭＡ基地局１５ａ、１５ｂから送信される信号は、同じであるため、この信号がどのＣＤＭＡ基地局１５ａ等から発信したかを識別するため、各ＣＤＭＡ基地局１５ａ等は、それぞれ他のＣＤＭＡ基地局１５ａ等と異なるタイミングで信号を発信している。
具体的には、このタイミングの相違は、ＣＤＭＡ基地局１５ａ等が発信するパイロットＰＮ信号の相違として表れる。すなわち、例えば、図１９のＣＤＭＡ基地局１５ｂは、ＣＤＭＡ基地局１５ａより僅かに遅れたタイミングで信号を発信している。具体的には、６４ｃｈｉｐ（０．０５２ｍｓ（ミリ秒））分だけ、パイロットＰＮオフセットを設けている。
このように多数のＣＤＭＡ基地局１５ａ等が存在しても、各ＣＤＭＡ基地局１５ａ等が６４ｃｈｉｐの整数倍だけ、それぞれ異なるパイロットＰＮオフセットを設けることで、受信する腕時計１０は、どのＣＤＭＡ基地局１５ａ等からの信号を受信したかを容易に把握することができる構成となっている。
【００３６】
また、ＣＤＭＡ基地局１５ａ等から送信される信号には、シンクチャネル信号があり、これが図２０のシンクチャネルメッセージである。図２０は、シンクチャネルメッセージの内容を示す概略図である。
図２０に示すように、シンクチャネルメッセージには、上述したパイロットＰＮ信号のデータ、例えば、パイロットＰＮオフセットデータが６４ｃｈｉｐｓ（０．０５２ｍｓ）×Ｎ（０〜５１２）であることを示すデータが含まれている。このデータは、図２０では「ＰＩＬＯＴ＿ＰＮ」で表されている。
また、シンクチャネルメッセージには、ＧＰＳ時刻データであるシステム時間のデータも含まれている。
ＧＰＳ時刻は毎週日曜日の０時からの経過時間が秒で表示され、翌週の日曜日の０時に０に戻るようになっている。そして、この１週間についてはＧＰＳの週番号が付されているので、週番号と経過時間（秒）のデータを取得することで、受信側はＧＰＳ時刻を取得できる構成となっている。このデータは、図２０では「ＳＹＳ＿ＴＩＭＥ」で表されている。
【００３７】
また、シンクチャネルメッセージには、世界協定時（ＵＴＣ）に換算するための「うるう秒」のデータも含まれている。このデータは、図２０では、「ＬＰ＿ＳＥＣ」で表されている。
また、シンクチャネルメッセージには、腕時計１０が所在する国又は地域のＵＴＣに対する時差データである、ローカルオフセット時間が含まれている。すなわち、例えば、日本の場合は、ＵＴＣに９時間プラスされた時間である旨のデータ等が格納されている。
このデータは、図２０では、「ＬＴＭ＿ＯＦＦ」で表される。
また、シンクチャネルメッセージには、腕時計１０が所在する国や地域がサマータイム等を採用しているか否かのサマータイムデータも含まれている。日本の場合は、サマータイム制を採用していないため、そのデータは「０」となる。このデータは、図２０では、「ＤＡＹＬＴ」で表される。
【００３８】
このように、図１９のパイロットＰＮ信号データが、携帯基地局（例えば、ＣＤＭＡ基地局１５ａ等）から発信される信号の携帯基地局誤差時間情報の一例であり、ローカルオフセット情報が、地域時間に換算する地域時間換算情報の一例となっている。また、サマータイムデータは、季節時間に換算する季節時間情報の一例となっている。
【００３９】
図２０のシンクチャネルメッセージには、以上のような内容のデータが含まれるが、具体的には、各データは時系列に順番に送信される。送信される信号は、図１９に示すように、８０ｍｓ単位からなるスーパーフレーム単位で送信され、シンクチャネルメッセージの最後のデータが含まれるものが、図１９のラストスーパーフレームとなる。すなわち、図１９のラストスーパーフレームの最後のタイミング（図１９の「Ｅ」「ＥＥ」で示す部分）が、シンクチャネルメッセージの受信完了のタイミングとなっている。
また、ＣＤＭＡ方式では、図２０のシンクチャネルメッセージの上述のＧＰＳ時刻は、図１９の「Ｅ」における時刻とはなっておらず、その後、４スーパーフレーム（３２０ｍｓ）後における時刻、すなわち、図１９の「Ｆ」における時刻となっている。
具体的には、上述したパイロットＰＮオフセットデータが、０ｃｈｉｐ（０ｍｓ）の場合の時刻を基準とした、ラストスーパーフレームの最後のタイミングから４スーパーフレーム後の時刻となる。
【００４０】
これは、ＣＤＭＡがそもそも携帯電話で通信するためのシステムであることに基づく。つまり、携帯電話機は、ＣＤＭＡ基地局１５ａ等から図２０に示す、シンクチャネルメッセージを受信した後、ＣＤＭＡ基地局１５ａ等との同期通信をするための準備を携帯電話機内で行う必要がある。
具体的には、次のステージである「待ち受け状態」へ遷移するための準備をした後、ＣＤＭＡ基地局１５ａ等と同期をとり通信することになる。
そこで、この準備時間を考慮して、ＣＤＭＡ基地局１５ａ等は、予め未来の時刻である３２０ｍｓ後の時間を、事前に送信し、この時間を受信した携帯電話機が内部で処理を行い、準備が終わった後、この時刻でＣＤＭＡ基地局１５ａ等と同期を取りに行くと同期を取りやすくなるという構成となっている。換言すれば、この４スーパーフレーム（３２０ｍｓ）が携帯電話機側の準備時間となっている。
【００４１】
このように、パイロットＰＮ信号は、符号信号情報の一例であり、スーパーフレーム（Ｓ）が、フレーム情報の一例である。
【００４２】
以上が、本実施の形態におけるＣＤＭＡ方式の携帯電話システムの概略であり、以上の前提で、以下、本実施の形態を説明する。
【００４３】
以下、図７乃至図１０のフローチャートにしたがって第１実施の形態に係る腕時計１０の動作等を説明しつつ、その関連で図４乃至図６の各種プログラムや各種データを説明する。
腕時計１０の時刻修正をする場合は、先ず、腕時計１０の所在する地域における、ＣＤＭＡ基地局１５ａ等から送信される信号であるパイロットチャネル信号を受信する必要がある。
そして、この場合に、腕時計１０の所在地域が、前回の時刻修正を行った際の所在地域と変化無い場合などは、例えば、後述するように、腕時計１０のりゅうず２８により、移動の無い場合等の設定を行うことができるようになっている。
つまり、図４の周波数スキャン方法選択プログラム３０２を起動して、図５の第１の各種データ記憶部４０の周波数スキャン方法データ格納部４０５から周波数スキャン方法データ４０５ａを読み出し、腕時計１０のディスプレイ１４に周波数スキャン方法データ４０５ａを表示して、ユーザーに示す。この周波数スキャン方法データ４０５ａは複数のデータで構成されており、それぞれ周波数スキャン方法が異なるようなデータとなっている。ここで、周波数スキャン方法選択プログラム３０２及び周波数スキャン方法データ４０５ａは周波数検出部の一例を構成しており、利用者が操作可能な外部入力部の一例であるりゅうず２８を介して入力し指定して検出する構成の一例となっている。
【００４４】
そして、図７のＳＴ１０１に示すように、ユーザーが、腕時計１０のりゅうず２８等により、ディスプレイ１４に示された周波数スキャン方法データ４０５ａから一つを選択して設定を行ったか否かを判断する。この場合、ユーザーが周波数スキャン方法データ４０５ａから一つを選択して、設定した場合は、後述する図９の概略フローに従って、腕時計１０の所在する地域のＣＤＭＡ基地局からの信号を受信し、時刻修正を行うようになっている。
そして、ユーザーにより周波数スキャン方法データ４０５ａから一つを選択、設定が行われなかった場合は、周波数スキャン方法選択プログラム３０２を終了し、ＳＴ１０２に進み、周波数スキャンを開始する。つまり、図４で受信可能周波数スキャンプログラム３０１を起動する。そして、この受信可能周波数スキャンプログラム３０１は、携帯基地局の一例であるＣＤＭＡ基地局が発するＣＤＭＡ基地局信号の周波数を検出する周波数検出部の一例となっている。
【００４５】
ついで、ＳＴ１０３に進み、図６の第２の各種データ記憶部５０の前回受信基地局周波数データ格納部５０２に前回受信基地局周波数データ５０２ａが記憶されているか否かを判断する。そして、前回受信基地局周波数データ格納部５０２に前回受信基地局周波数データ５０２ａが記憶されている場合は、ＳＴ１０８に進み、前回受信基地局周波数データ格納部５０２に記憶されている前回受信基地局周波数データ５０２ａを図６の第２の各種データ記憶部５０の抽出基地局周波数データ格納部５０５の抽出基地局周波数データ５０５ａとして格納される。そして、後述するＳＴ１０６に進む。ここで、前回受信基地局周波数データ５０２ａは、前回受信基地局周波数情報の一例である。
このように、前回受信基地局周波数データ５０２ａを使って、周波数スキャンを行うことで、ＣＤＭＡ基地局１５ａ等からの送信される信号を受信するに際し、受信確率が高くなり、速やかに、時刻修正が行える。また、必要な時刻修正情報データを早く得ることもできるので、腕時計１０の消費電力が低減される。
【００４６】
また、前回受信基地局周波数データ格納部５０２に前回受信基地局周波数データ５０２ａが記憶されていない場合は、ＳＴ１０４に進む。そして、具体的には、ＳＴ１０４で、腕時計１０が所在するＣＤＭＡ基地局から送信される信号を受信するため、受信可能周波数をスキャンする。
そのため、図４の受信可能周波数スキャンプログラム３０１は、図５の第１の各種データ記憶部４０の受信周波数データ格納部４０１の基地局周波数データ表４０１ａを設定し、受信可能周波数スキャン方法データ格納部４０４に受信可能周波数スキャン方法データ４０４ａとして記憶する。ここで、受信周波数データ格納部４０１は携帯基地局周波数情報格納部の一例であり、基地局周波数データ表４０１ａは複数種類の携帯基地局周波数情報の一例である。
【００４７】
続いて、ＳＴ１０５に移り、受信可能周波数スキャン方法データ４０４ａの最初の基地局周波数データを図６の抽出基地局周波数データ５０５ａとして、抽出基地局周波数データ格納部５０５に記憶する。
ここで、受信周波数データ格納部４０１の基地局周波数データ表４０１ａは、例えば、図１３に示すように、ＢＣごとに割当てられている周波数帯を、そのＢＣごとに対応するように情報として持っている。
このように、予め基地局周波数データ表４０１ａとして、腕時計１０の内部に備えていれば、このＢＣごとに割当てられている周波数帯ごとに周波数をスキャンしていくことにより、腕時計１０の当該所在地域に対応するＢＣが既知となり、どの周波数帯を使用しているかが即座に既知となり、消費電力が低減でき、時間も短縮できる。つまり、通常は使用していないような周波数帯も含めて、全ての周波数帯域をスキャンする必要がない。
また、使用されている周波数帯が既知となれば、ＢＣも判明するため、対象国等が分かる場合もありうる。つまり、ＢＣ及びそれに対応する周波数帯情報と共に、対象国等のデータも腕時計内部の情報として、持っていると、仮にあるＢＣを使用している国が他に無ければ、腕時計１０のおおよその所在地域も既知とすることが可能となる。例えば、ＢＣ３の周波数帯８３２〜８７０Ｍの周波数をスキャンできれば、そのＢＣ３の対象国が腕時計１０の所在地域として予想され、日本であることが分かる。
【００４８】
ついで、ＳＴ１０６に進み、抽出基地局周波数データ５０５ａに基づいて、ＣＤＭＡ基地局のＣＤＭＡ基地局信号の周波数のスキャンを行い、ＲＦ受信電力を認識する。
具体的には、図４のＲＦ受信電力認識プログラム３１０が、抽出基地局周波数データ５０５ａに基づいて、ＣＤＭＡ基地局のＣＤＭＡ基地局信号の周波数のスキャンを行い、ＲＦ受信電力を認識して、認識したＲＦ受信電力を図５のＲＦ受信電力データ４１０ａとしてＲＦ受信電力データ格納部４１０に記憶する。
そして、ＳＴ１０７に進み、このＲＦ受信電力データ４１０ａが図５の閾値ＲＦ受信電力データ格納部４０３に記憶されている閾値ＲＦ受信電力データ４０３ａ以上となっていた場合は、受信可能と判断する。具体的には、図４のＲＦ受信電力比較プログラム３１１が、図５の閾値ＲＦ受信電力データ格納部４０３に記憶されている閾値ＲＦ受信電力データ４０３ａと、ＲＦ受信電力データ格納部４１０に記憶されているＲＦ受信電力データ４１０ａとを比較して、ＲＦ受信電力データ４１０ａが閾値ＲＦ受信電力データ４０３ａ以上であるかを判断する。
つまりは、ＲＦ受信電力データ４１０ａが閾値ＲＦ受信電力データ４０３ａ以上であると判断した場合、当該腕時計１０の所在地域に設定した抽出基地局周波数データ５０５ａと同様な周波数帯であるＣＤＭＡ基地局が存在することとなるからである。
さらに詳細に説明すれば、抽出基地局周波数データ５０５ａを基にＣＤＭＡ基地局からの周波数をスキャンして受信する際のＲＦ受信電力データ４１０ａと閾値ＲＦ受信電力データ４０３ａとを比較して、この閾値ＲＦ受信電力データ４０３ａ以上であるか否かにより、この周波数が受信可能であるか否かを判断する。
【００４９】
図１７は、周波数とＲＦ受信電力データとの関係を図示している。
この様に、ある周波数でのＲＦ受信電力データを、例えば−１００ｄＢ以上となったときに受信可能と判断する。つまり、閾値ＲＦ受信電力データ４０３ａに、−１００ｄＢとの閾値を設定しておき、閾値ＲＦ受信電力データ４０３ａと抽出基地局周波数データ５０５ａに基いた周波数でスキャンして認識されたＲＦ受信電力データ４１０ａを比較し、この閾値ＲＦ受信電力データ４０３ａ以上となれば受信可能と判断して、次のステップに進む。しかし、閾値ＲＦ受信電力データ４０３ａに満たない場合は、抽出基地局周波数データ５０５ａに基いた周波数では、腕時計１０の所在する地域のＣＤＭＡ基地局からのＣＤＭＡ基地局信号の周波数のスキャンはできないと判断する。そして、ＳＴ１０９に進み、図４の受信可能周波数書換プログラム３０６が、受信可能周波数スキャン方法データ格納部４０４から次の受信可能周波数スキャン方法データ４０４ａを読みだして、抽出基地局周波数データ格納部５０５の抽出基地局周波数データ５０５ａを書き換える。
そして、ＳＴ１０６に戻り、上述と同様なフローで動作して、閾値ＲＦ受信電力データ４０３ａ以上のＲＦ受信電力データ４１０ａが得られるまで、繰返し行われる。
このＲＦ受信電力認識プログラム３１０及びＲＦ受信電力比較プログラム３１１は、周波数検出部の一例であり一部となっている。
【００５０】
そして、閾値ＲＦ受信電力データ４０３ａ以上のＲＦ受信電力データ４１０ａを認識した場合は、図８の概略フローのＳＴ１１０に進む。
ＳＴ１１０は、図４の受信可能周波数スキャンプログラム３０１が、認識したＲＦ受信電力データ４１０ａに対応する周波数を、腕時計１０の所在する地域のＣＤＭＡ基地局からのＣＤＭＡ基地局信号の受信可能な周波数として、当該周波数を図６の受信可能周波数データ格納部５０１の受信可能周波数データ５０１ａとして記憶する。ここで、受信可能周波数データ格納部５０１は受信可能周波数情報格納部の一例であり、受信可能周波数データ５０１ａは受信可能周波数情報の一例である。
次いで、ＳＴ１１１に進み、図４の基地局受信日時検出対応表作成プログラム３１２が、図５のＳＴ１１０でＲＦ受信電力データ４１０ａを認識した日時を携帯基地局信号受信日時として、そして、ＲＦ受信電力データ４１０ａを認識した際の周波数である図６の受信可能周波数データ格納部５０１に記憶されている受信可能周波数データ５０１ａを携帯基地局信号受信周波数データとして、これらのデータとを対応させて図６の基地局信号受信日時データ格納部５０４の基地局信号受信日時／基地局信号受信周波数データ対応データ５０４ａに記憶する。基地局信号受信日時／基地局信号受信周波数データ対応データ５０４ａは、携帯基地局信号受信日時と携帯基地局周波数情報の一例であり、基地局受信日時検出対応表作成プログラム３１２は携帯基地局信号受信日時記憶部の一例である。
【００５１】
ついで、ＳＴ１１２に進み、受信可能周波数データと対応する基地局周波数データ表の基地局周波数データの検出回数をカウントして、受信可能基地局周波数データ／検出回数対応データの検出回数データにＮ＝１として記憶する。
具体的には、図４の検出回数データ検出プログラム３０５が、基地局信号受信日時データ格納部５０４の基地局信号受信日時／基地局信号受信周波数データ対応データ５０４ａとして記憶されている基地局信号受信周波数データである受信可能周波数データ５０１ａと対応する図５の基地局周波数データ表４０１ａの基地局周波数データに対応させて、検出回数として、受信可能基地局周波数データ／検出回数対応データ５０３ａの検出回数にＮ＝１として記憶させる。
ここで、Ｎはカウントデータであり、ＲＦ受信電力データの認識された周波数として基地局周波数データが検出されるごとに増えていく。つまり、次に同じ基地局周波数データで検出された場合は、検出回数はＮ＝２（＝１＋１）となる。さらに同じ基地局周波数データで検出された場合は、検出回数はＮ＝３（＝１＋１＋１）となる。こうして同じ基地局周波数データで検出されるごとに、検出回数は増えていく。受信可能基地局周波数データ／検出回数対応データ５０３ａは周波数情報と検出回数情報の一例となっている。
【００５２】
そして、図４の検出回数／受信可能周波数対応表作成プログラム３０７が、この検出回数データ検出プログラム３０５によって記憶された受信可能基地局周波数データ／検出回数対応データ５０３ａの検出回数の多い順に、基地局周波数データ表４０１ａの基地局周波数データと対応させて並び替えて、受信可能基地局周波数データ／検出回数対応データ格納部５０３に記憶せる。
つまり、図４の検出回数／受信可能周波数対応表作成プログラム３０７によって、受信可能基地局周波数データ／検出回数対応データ格納部５０３の受信可能基地局周波数データ／検出回数対応データ５０３ａは、例えば、図１６のように、検出回数である受信成功回数の相対的に多い順に受信可能基地局周波数データである周波数帯域のＢＣに優先順位を付けて記憶させるようになっている。検出回数データ検出プログラム３０５及び検出回数／受信可能周波数対応表作成プログラム３０７は検出回数情報記憶部の一例となっている。
【００５３】
次いで、検出回数／受信可能周波数対応表作成プログラム３０７を終了して、ＳＴ１１３に進み、受信可能周波数スキャンプログラム３０１を終了して、周波数スキャンを終了する。
そして、腕時計１０の図２に示すＣＤＭＡ基地局電波受信機２４は、ＲＦ受信電力データ４１０ａが閾値ＲＦ受信電力データ４０３ａ以上となった際の受信可能周波数データ５０１ａに対応する周波数についてパイロットチャネル信号との同期を取る。
【００５４】
そして、ＳＴ１１４に進み、図４の時刻修正プログラム３０３を起動させると、後述する図１０の概略フローに従って時刻修正を行う。そして、時刻修正を行った後、ＳＴ１１５で、受信可能周波数データ記憶部５０１の受信可能周波数データ５０１ａを前回受信基地局周波数データ５０２ａとして前回受信基地局周波数データ格納部５０２に記憶する。具体的には、図４の前回受信基地局周波数記憶プログラム３０９が、ＳＴ１１０で受信可能周波数データ格納部５０１に記憶した受信可能周波数データ５０１ａを前回受信基地局周波数データ５０２ａとして前回受信基地局周波数データ格納部５０２に記憶する。ここで、前回受信基地局周波数記憶プログラム３０９は前回受信携帯基地局周波数情報記憶部の一例となっている。
そして、時刻修正を行った後、ＳＴ１１６に進み、設定時間をカウントして、設定時間が経過した後は、図７のＳＴ１０１に戻って、また、時刻修正を行う為に、周波数スキャン等を行っていく。ここで、設定時間とは、例えば２４時間で、時刻修正が必要な時間間隔を任意に設定できる。設定時間のカウントは、腕時計１０の内部の図２で示している例
えば、リアルタイムクロック２５等でカウントする。
【００５５】
ここで、図１０の時刻修正の概略フローを説明するに先だって、図７のＳＴ１０１に戻り、ユーザーが受信スキャン方法の選択設定を行った場合について説明する。
図７のＳＴ１０１で、ユーザーが周波数スキャン方法データ４０５ａの選択設定を行った場合は、図９の概略フローに進む。
図９のＳＴ２０１に進み、ユーザーが基地局信号受信日時／基地局信号周波数データ対応データ５０４ａを選択したか否かを判断する。選択していた場合は、ＳＴ２０２に進み、基地局信号受信日時の更新順が選択されたか否かを判断する。
選択された場合は、ＳＴ２０３に進み、受信可能周波数のスキャン順として、基地局信号受信日時データ格納部５０４の基地局信号受信日時の更新順を設定して、受信可能周波数スキャン方法データ４０４ａとして、受信可能周波数スキャン方法データ格納部４０４にこの基地局信号受信日時の更新順に基地局信号周波数データを記憶する。ここで、基地局信号受信日時データ格納部５０４の基地局信号受信日時／基地局信号周波数データ対応データ５０４ａは、例えば、基地局信号受信日時の更新順に図１４や図１５に示すように記憶されている。
【００５６】
この基地局信号受信日時データ格納部５０４の基地局信号受信日時／基地局信号周波数データ対応データ５０４ａは、後述するＳＴ１１１で、ＲＦ受信電力を認識した順、つまりは、最新の基地局信号受信日時の順番に基地局信号周波数データを記憶している。具体的には、図４の受信周波数順位作成プログラム３０４が、上述の基地局信号受信日時の最新順に基地局信号周波数データを対応させて、基地局信号受信日時データ格納部５０４の基地局信号受信日時／基地局信号周波数データ対応データ５０４ａに記憶していく。
そして、ＳＴ２０４に進み、最新の基地局信号受信日時に対応する基地局周波数データを抽出基地局周波数データ５０５ａの抽出基地局周波数データ格納部５０５に記憶する。
次いで、図７のＳＴ１０６に戻り、上述したフローに従って、周波数スキャンを続行していく。このように、周波数検出部の一例である受信可能周波数スキャンプログラム３０１が基地局信号受信日時／基地局信号周波数データ対応データ５０４ａの最新の基地局信号受信日時の順番、つまりは更新順に周波数スキャンを行っていくので、腕時計１０の利用者であるユーザーがその更新順と同様な経路で場所を移動した場合は、その移動の順に携帯基地局の一例であるＣＤＭＡ基地局１５ａ等からの携帯基地局信号の一例であるＣＤＭＡ基地局１５ａ等の電波信号を受信でき、時刻修正を自動で速やかに行うことができる。また、受信の確率が高まるため、電力の消費が低減できる。
【００５７】
基地局信号受信日時データ格納部５０４の基地局信号受信日時／基地局信号周波数データ対応データ５０４ａは、例えば、図１４や図１５のように、基地局信号受信日時に対応して基地局周波数データ表として記憶されている。
これは、例えば、図１５では、最新の基地局信号受信日時に対応する基地局周波数データは、ＢＣ１０である。そして、ＢＣ９、ＢＣ８、ＢＣ７、ＢＣ６・・・上から順に新しい日時の順となるように記憶されている。この場合はＢＣ３が最も古い日時となっている。
そして、ＢＣは、各地域（各国）ごとに、最も都合のよい周波数となるように、選択されているので、この更新順は、例えばユーザーが各地域を移動した際に、スキャンできた周波数の順となっている。
ここで、ユーザーの現在滞在している地域は、図１５の例では、周波数はＢＣ１０に対応する周波数の地域であるとした場合、例えば、ユーザーがこの現在地域から数日前に移動した順とは逆順に各地域を移動すると仮定する。そうすると、基地局信号受信日時データ格納部５０４の基地局信号受信日時／基地局信号周波数データ対応データ５０４ａは更新順に記憶されているので、つまりは、図１５でＢＣ１０、ＢＣ９、ＢＣ８等の順に周波数のスキャン順を設定すれば、無駄なく周波数のスキャンを行うことができ、ＣＤＭＡ基地局１５ａ等からのＣＤＭＡ基地局信号を速やかに受信することができ、時刻修正が早く行え、また、消費電力も少なくすむ。
また、このような基地局信号受信日時／基地局信号周波数データ対応データ５０４ａをいくつか記憶しておき、ユーザーが任意に設定できれば、ユーザーの移動に合わせて、周波数スキャンをスムーズに行うことができ、無駄が無い。
【００５８】
図９のＳＴ２０２で、基地局信号受信日時の更新順が選択されなかった場合は、ＳＴ２０８に進み、利用者（使用者とも言う）が腕時計１０のディスプレイ１４に示された、基地局信号受信日時データ格納部５０４の基地局信号受信日時／基地局信号周波数データ対応データ５０４ａから任意の基地局信号受信日時を選択、設定する。そして、ＳＴ２０９に進み、選択設定された基地局信号受信日時から基地局信号受信日時データ格納部５０４に記憶されている最新の基地局信号受信日時の順（更新順と逆順）に、受信可能周波数のスキャン順を設定して、この基地局信号受信日時と対応する基地局周波数データを順番に、受信可能周波数スキャン方法データ４０４ａとして受信可能周波数スキャン方法データ格納部４０４に記憶する。
つまり、ＳＴ２０９では、ユーザーである利用者が基地局信号受信日時データ格納部５０４の基地局信号受信日時／基地局信号周波数データ対応データ５０４ａから任意の基地局信号受信日時を選択して設定する。
【００５９】
そして、ＳＴ２１０に進み、この選択設定された基地局信号受信日時に対応する基地局周波数データを抽出基地局周波数データ５０５ａとして、抽出基地局周波数データ格納部５０５に記憶する。そして、図７のＳＴ１０６に戻り、上述のように周波数スキャンを続行し、時刻修正を行う。
【００６０】
図９のＳＴ２０１で、基地局信号受信日時／基地局信号周波数データ対応データ５０４ａを選択していない場合は、ＳＴ２０５に進み、受信可能基地局周波数データ／検出回数対応データ５０３ａが選択されているか否かを判断する。選択されていない場合は、図７の概略フローのＳＴ１０２に戻り、上述の順に周波数をスキャンしていき、時刻修正を行う。
選択されている場合は、ＳＴ２０６に進み、受信可能周波数のスキャン順として、受信可能基地局周波数データ／検出回数対応データ格納部５０３の検出回数の相対的に大きい順を設定する。具体的には、図１６のように、検出回数／受信可能周波数対応表作成プログラム３０７がＢＣごとに検出回数である受信成功回数を記憶し、そして、相対的に大きい方を優先順位を高く設定し、その優先順の高い順に並べ代え、受信可能基地局周波数データ／検出回数対応データ格納部５０３に受信可能基地局周波数データ／検出回数対応データ５０３ａとして記憶する。そして、周波数検出部の一例である受信可能周波数スキャンプログラム３０１がこの受信可能基地局周波数データ／検出回数対応データ５０３ａ順に周波数スキャンを行うように設定し、受信可能周波数スキャン方法データ４０４ａとして、受信可能周波数スキャン方法データ格納部４０４に記憶する。
【００６１】
そして、ＳＴ２０７に進み、相対的に大きい検出回数である優先順位の高い受信可能基地局周波数データを抽出基地局周波数データ５０５ａとして、抽出基地局周波数データ格納部５０５に記憶する。そして、図７のＳＴ１０６に戻り、周波数スキャン及び時刻修正を行う。このように、検出回数情報の一例である検出回数の相対的に大きい順に周波数スキャンを行うので、ＣＤＭＡ基地局１５ａ等からのＣＤＭＡ基地局信号である電波信号を受信する際の受信確率が高く、速やかに受信を行うことが可能である。従って、時刻修正を速やかに行うことができ、受信までに要する時間の短縮も可能となる。つまり、受信回数の高い順に行えば、受信確率の高い順番で周波数スキャンを行うことができ、受信時に無駄が無く、消費電力を低減でき、かつ、短時間で行うことが可能となる。
以上のように、ユーザーが外部入力部を介して、選択した方法で周波数検出部の一例である受信可能周波数スキャンプログラムが検出する構成となっている。そのため、周波数スキャン方法選択プログラム３０２により、周波数スキャンの順番を様々な順に行うことができるので、ユーザーにとって便利であり、また、受信日時の更新順に行うことができれば、受信可能周波数のスキャンする確率が向上し、受信時間の短縮と消費電力の低減を行うことができる。従って、ユーザーの行動パターンに合わせて、周波数スキャンが行え、時刻修正が短時間で、確実に行うことができ、消費電力も低減できる。
また、更新順と逆の設定も可能であるので、ユーザーの移動に合わせて、周波数スキャンを行うことができ、無駄が無い。
【００６２】
そして、図８のＳＴ１１３でパイロットチャネル信号との同期が完了すると、ＳＴ１１４に進み、図４の時刻修正プログラム３０３の動作を示す図１０の概略フローに移り、時刻修正を行う。
ここで、図２１に示すように、時刻修正プログラム３０３は、いくつかの動作を指示する複数のプログラムを持っている。図２１は、図４の時刻修正プログラム３０３を取り出している概略図である。図２１に示すように、図４の時刻修正プログラム３０３は、シンクチャネルメッセージ受信プログラム３１３、受信機制御プログラム３２３、第１次ローカル時刻算出プログラム３３３、最終時刻算出プログラム３５３等と分けて記載されているが、説明の便宜上分けて記載したものであり、実際にこのように分けて格納されていなくてもよい。
つまり、ＳＴ１１４に進み、時刻修正が開始されると、図１０のＳＴ２１１に進む。時刻修正プログラム３０３内の図２１のシンクチャンネルメッセージ受信プログラム３１３が、シンクチャネルに切り替え、ＣＤＭＡ基地局１５ａ等からのＣＤＭＡ基地局信号のシンクチャネルメッセージを受信する。具体的には、図２１のシンクチャンネルメッセージ受信プログラム３１３が図２０に示すようなシンクチャネルメッセージの受信を開始する。
【００６３】
そして、ＳＴ２１２に進み、シンクチャネルメッセージの受信を完了したか否かを判断する。シンクチャネルメッセージの受信が完了していない場合は、ＳＴ２１８に進み、タイムアウトか否かを判断し、タイムアウトの場合は、ＳＴ２１１に戻り、受信からはじめる。また、タイムアウトでない場合は、再度ＳＴ２１２に戻り、完了したか否かの確認を行う。
次いで、ＳＴ２１２でシンクチャネルメッセージの受信が完了すると、ＳＴ２１３に進み、図２のＣＤＭＡ受信基地局電波受信機２４がＣＤＭＡ基地局１５ａ等からの電波信号の受信を停止する。
具体的には、図２１の受信機制御プログラム３２３が動作して、ＣＤＭＡ受信基地局電波受信機２４がＣＤＭＡ基地局１５ａ等からのＣＤＭＡ基地局信号である電波信号の受信を停止する。つまり、図１９のラストスーパーフレームの終了のタイミングである「Ｅ」や「ＥＥ」で示すタイミングで電波受信を終了する。
そして、腕時計１０は、図２０に示す全てのシンクチャネルメッセージを受信したことになり、このシンクチャネルメッセージは図６のシンクチャネルメッセージデータ格納部５０６に、シンクチャネルメッセージデータ５０６ａとして格納される。
【００６４】
次に、ＳＴ２１４に進む。そして、ＳＴ２１４以降は、既にＣＤＭＡ基地局１５ａ等から取得したシンクチャネルメッセージの情報に基づいて時刻修正を行う。
先ず、ＳＴ２１４で、腕時計１０の所在地が例えば、日本であった場合に、図６のシンクチャネルメッセージデータ５０６ａから、ＧＰＳ時刻、閏秒、ローカルオフセット時間（日本の場合はＵＴＣに９時間を加える）、サマータイム時間（日本の場合は、サマータイムがないので０時間加える）を抽出し、図２１の第１次ローカル時間算出プログラム３３３を起動させ、第１次ローカル時刻である例えば、第１時日本時間を算出する。
具体的には、ＧＰＳ時刻を基本に閏秒データに基づいて、ＵＴＣ時刻を算出し、このＵＴＣ時刻に基き、ローカルオフセット時間で、例えば、９時間を加えて、日本時刻とする。また、日本ではサマータイムを採用していないので、サマータイム時間の補正は実質的には行わない。なお、アメリカのようにサマータイム制を採用する国であれば、サマータイム時間の補正は、極めて精度の高い時刻修正となる。
【００６５】
本実施形態では、第１次日本時間が算出され、この時刻はＧＰＳ時刻に基いた基本的な時刻データとなる。
このように算出された第１次日本時刻は、図６の第１次ローカル時刻データ格納部５０７に第１次ローカル時刻データ５０７ａとして格納される。
【００６６】
ここで算出された第１次ローカル時刻データ５０７ａについて説明する。この第１次ローカル時刻データ５０７ａは、図１９で説明すると以下のようになる。つまり、腕時計１０が図１９のＣＤＭＡ基地局１５ｂの信号を受信し、そのシンクチャネルメッセージを取得したとすると、受信した時刻（ＧＰＳ時刻）は、上述したパイロットＰＮオフセットデータが、０ｃｈｉｐ（０ｍｓ）の場合の時刻を基準とした、ラストスーパーフレームの最後のタイミングから４スーパーフレーム（３２０ｍｓ）後の時刻情報（図１９の例では「Ｆ」における時刻）となる。
しかし、図１９のＣＤＭＡ基地局１５ｂは、そのパイロットＰＮオフセットが例えば、６４ｃｈｉｐ（０．０５２ｍｓ）があるため、その分、実際の受信タイミングとしては、正確なＧＰＳ時刻とは相違している。つまり、図１９のＣＤＭＡ基地局１５ｂが実際にラストスーパーフレームの最後を受信したタイミングである「ＥＥ」は、腕時計１０が取得したＧＰＳ時刻にパイロットＰＮオフセット分を加算した時刻となる。
【００６７】
このため、本実施の形態で以下の処理を行う。すなわち、ＳＴ２１５で、図６の第１次ローカル時刻データ５０７ａに対して以下のような補正をかける。つまり、第１次ローカル時刻データ５０７ａから３２０ｍｓ（４スーパーフレーム）を減算することで、図１９の「Ｆ」における時刻を「Ｅ」における時刻情報とする。さらに、ＣＤＭＡ基地局１５ｂの信号はパイロットＰＮオフセットが０．０５２ｍｓあるため、その分を加算する。
すると、ラストスーパーフレーム受信完了時（ＥＥ）の正しいＧＰＳ時刻に基づく例えば、日本時刻が生成されることになる。
このような計算は、図２１の第２次ローカル時刻算出プログラム３４３が、図６の第１次ローカル時刻データ５０７ａ、図５の差分時間データ４０６ａ及びパイロットＰＮオフセット時間データ４０７ａ等に基づいて行い、その結果は、図６の第２次ローカル時刻データ５０８ａとして第２次ローカル時刻データ格納部５０８に格納される。
図５における差分時間データ４０６ａの一例が、上述の３２０ｍｓ（４スーパーフレーム）というデータであり、差分時間データ格納部４０６に格納される。また、パイロットＰＮオフセット時間データ４０７ａの一例が、上述の６４ｃｈｉｐ（０．０５２ｍｓ）というデータであり、パイロットＰＮオフセット時間データ格納部４０７に格納される。
【００６８】
ところで、このように、ＳＴ２１５で算出された第２次ローカル時刻データ５０８ａは、ＧＰＳ時刻に合致した精度の高い時間であるが、ＳＴ２１４やＳＴ２１５に要する時間等があり、この時間を考慮しないと、その計算時間等の分だけ時刻が相違する（狂う）ことになる。
そこで、ＳＴ２１６の工程が行われる。すなわち、図６の第２次ローカル時刻データ５０８ａに、処理遅延時間を加算して、最終ローカル時刻を算出する。つまり、この処理遅延時間が当該腕時計１０の上述の計算に要する時間等に該当するが、この時間は、当該腕時計１０によって時間は定まっている。
このため、本実施の形態では、図５に示すように、処理遅延時間データ４０８ａを予め固定値として、処理遅延時間データ格納部４０８に格納しておく。そして、図２１の最終ローカル時間算出プログラム３５３は、図６の第２次ローカル時刻データ５０８ａに、処理遅延時間データ４０８ａを加算して、より精度の高い時刻情報である最終ローカル時刻データ５０９ａとして、最終ローカル時刻データ格納部５０９に格納する。
【００６９】
このように生成された、最終ローカル時刻データ５０９ａはＧＰＳ時刻に合致した極めて精度の高い時刻情報となる。なお、処理遅延時間は、処理時間情報の一例である。
【００７０】
次に、ＳＴ２１７に進む。ＳＴ２１７では、図２１のＲＴＣ及び時刻修正プログラム３６３が、図６の最終ローカル時刻データ５０９ａに基づき、図２のＲＴＣ２５や図１の針１３等を修正し、時刻修正が完了する。
【００７１】
このように、ＲＴＣ及び時刻修正プログラム３６３が、時刻情報表示部の表示時刻情報（例えば、ＲＴＣ２５や針１３等）を修正する表示時刻情報修正プログラム３０３の一部であり、時刻修正装置の一例である。
また、最終ローカル時刻算出プログラム３５３も、ＲＴＣ及び時刻修正プログラム３６３が修正する修正用の修正時刻情報（例えば、最終ローカル時刻データ５０９ａ等）を生成する表示時刻情報修正プログラム３０３の一部であり、時刻修正装置の一例である。
【００７２】
このように本実施の形態によれば、ＳＴ１０４、ＳＴ１０８、ＳＴ２０３、ＳＴ２０９、ＳＴ２０６等で、予め腕時計１０等の時刻修正装置を備えた計時装置の内部に、各地域（各国）で、ＣＤＭＡ基地局１５ａ等が使用している周波数データを備えており、そのデータを使用して、腕時計１０の所在地域に対応するＣＤＭＡ基地局１５ａ等からのＣＤＭＡ基地局信号を腕時計１０等が備えるＣＤＭＡ基地局電波受信機２４がＣＤＭＡ基地局１５ａ等の電波を受信するので、無駄な時間を省くことができ、また、消費電力が少ない。
また、ＳＴ２１３でＣＤＭＡ受信基地局電波受信機２４がＣＤＭＡ基地局１５ａ等の電波の受信を停止するので、電池２７の消費電力を小さくすることができる。
ここで、図１９を用いて具体的に説明する。図１９の（Ｃ）はＣＤＭＡ基地局１５ｂからシンクチャネルメッセージを受信し、その後、時刻同期を行う、従来の場合の電源シーケンスである。図１０に示すように、図１９の「ＦＦ」の部分まで信号を受信しているため電源はＯＮ状態となっている。
これに対して、本実施の形態の電源シーケンスは図１９の（Ｄ）である。（Ｄ）に示すように、信号の受信は、図１９の「ＥＥ」の部分で終了し、その後、通信を行っていない。
このため、本実施の形態の腕時計１０は、消費電力を小さくすることができるので、超低電力が要求される時計等の機器にも搭載可能であり、且つ、極めて高精度な時刻修正も可能となっている。
【００７３】
ところで、次に、上述したＳＴ１１５に戻り、ＳＴ１１６に進む。ＳＴ１１６では上述したように、時刻修正間隔タイマが動作して、設定時間が経過したかをカウントする。そして、設定時間を経過すると、再びＳＴ１０１に戻り、上述したようにＳＴ１０１以下の工程が実行される。
【００７４】
また、図１０は、図２０のローカルオフセット時間及びサマータイムデータは、ＣＤＭＡ基地局１５ａ等から受信したシンクチャネルメッセージに基づいて自動的に修正される工程としたが、これらを腕時計１０のユーザーが設定可能としてもよい。
この場合は、図１のりゅうず２８等を用いて入力されたローカルオフセット時間は、図６の入力ローカルオフセット時間データ５１０ａとして入力ローカルオフセット時間データ格納部５１０に格納される。また、同様に入力されたサマータイム時刻データとして入力サマータイム時間データ５１１ａとして入力サマータイム時間データ格納部５１１に格納される。この場合は、上述のＳＴ２１４では、この入力されたデータに基づいて第１次ローカル時刻が算出されるので、ユーザーの希望通りの時刻修正が可能となる。
このように、腕時計１０の所在地域に係らず、予め内部に持っている周波数データを使用して、ＣＤＭＡ基地局からの信号を受信できるので、地域に関係なく、速やかに、時刻修正を行うことができる。
また、ユーザーの都合に合わせて、周波数のスキャン方法の設定も可能となる。
従って、時間短縮が可能で、消費電力の少ない時刻修正が可能となる。
【００７５】
（第２実施の形態）
図１１及び図１２は、本発明の第２実施の形態にかかる時刻修正装置付き腕時計の主な動作を示す概略フローチャートであり、図２２及び図２３は、本実施の形態にかかる時計修正装置付き腕時計の主な概略ブロック図である。
本実施の形態にかかる時刻修正装置付き腕時計の多くの構成は、上述の第１の実施の形態の腕時計１０と同様であるため、共通する構成は、同一符号等として説明を省略し、以下、相違点を中心に説明する。従って、第２の各種データ記憶部４０内の各種データ等は第１実施の形態と重複するので、同一のものを使用している。また、図２２及び図２３においてそれぞれ各種プログラム格納部６０及び第１の各種データ記憶部７０内の各種プログラム及び各データにおいて、第１実施の形態での各種プログラム格納部３０及び第１の各種データ記憶部４０内の各種プログラム及び各データで重複するものは同一符号を付している。また、図１１及び図１２の概略フローチャートも異なる部分の動作等を中心に概略フローチャートを示している。
上述の第１実施の形態では、ＣＤＭＡ基地局１５ａ等から送信されるＣＤＭＡ基地局信号である電波信号をＣＤＭＡ基地局電波受信機２４で受信するに際し、腕時計の所在する地域でのＣＤＭＡ基地局からのＣＤＭＡ基地局信号である電波信号の周波数をスキャンして、ＲＦ受信電力を使用し、閾値ＲＦ受信電力以上であるかを確認した（図７のＳＴ１０６及びＳＴ１０７）。
【００７６】
第２実施の形態では、ＲＦ受信電力の変わりに、ＰＮショートコードを発生させて、この発生させたＰＮショートコードとＣＤＭＡ基地局からの電波信号とを比較して、相関値を求める点にある。
具体的には、図１１のＳＴ１０１からＳＴ１０５までと、ＳＴ１０８、ＳＴ１０９の工程は、図７の概略フローで説明した第１実施の形態と同様であり、異なる点は、ＳＴ１０５から先の工程から図１２でＳＴ１１４の時刻修正開始の工程に至るまで、である。
【００７７】
ここで、図１２のＳＴ１１２とＳＴ１１４からＳＴ１１６は、第１実施の形態で図８の概略フローを使用して説明したＳＴ１１２とＳＴ１１４からＳＴ１１６と同一の工程である。そして、ＳＴ１１４で、図１０の概略フローに基づいて説明した時刻修正の工程も、第２実施の形態においては共通する部分であるので、重複する説明は省略する。
そして、第１実施形態の第１の各種データ記憶部４０の閾値ＲＦ受信電力データ４０３ａと閾値ＲＦ受信電力データ格納部４０３及びＲＦ受信電力データ４１０ａとＲＦ受信電力データ格納部４１０に代えて、第２実施の形態では、ＰＮショートコードデータ７０３ａとＰＮショートコードデータ格納部７０３及び相関値データ７１０ａと相関値データ格納部７１０としている。
また、それに伴い、第１実施の形態では、各種プログラム格納部３０に記憶されていたＲＦ受信電力プログラム３１０及びＲＦ受信電力比較プログラム３１１に代えて、各種プログラム格納部６０にはＰＮショートコード発生プログラム６１０、ＰＮショートコード相関値検出プログラム６１１及びＰＮショートコード相関値データ比較プログラム６１２が記憶されている。
以下、この相違点を中心に図１１及び図１２の概略フローを使用して説明する。
【００７８】
図１１の概略フローでは、ＳＴ１０５の工程を経てＳＴ３０６に進む。
ＳＴ３０６の工程においては、図６の抽出基地局周波数データ５０５ａに対応するＰＮショートコードを図２３のＰＮショートコードデータ格納部７０３のＰＮショートコードデータ７０３ａから抽出する。
具体的には、図２２のＰＮショートコード発生プログラム６１０が図６の抽出基地局周波数データ格納部５０５に記憶されている抽出基地局周波数データ５０５ａを参照して、図２３のＰＮショートコードデータ格納部７０３からその抽出基地局周波数データ５０５ａに対応するＰＮショートコードデータ７０３ａを選定して、図示しないＰＮショートコード発生機により選定したＰＮショートコードデータを発生させる。
【００７９】
そして、図２２のＰＮショートコード相関値検出プログラム６１１が、腕時計１０が発生したＰＮショートコードデータとＣＤＭＡ基地局１５ａ等からのＣＤＭＡ基地局信号である電波信号を受信した際のＰＮショートコードとを比較して、相関値を検出する。
ここで、相関値とは、発生したＰＮショートコードデータと受信した際のＰＮショートコードがどの程度近似しているかを示す値である。従って、両方のＰＮショートコードデータが一致している場合であれば、相関値は１となる。
【００８０】
さらに具体的に説明する為、図１８に発生したＰＮショートコードと受信したＰＮショートコードとの相関値の一例を示す。
例えば基地局における相関値が０．１未満であるとすると、このＰＮショートコードに対応する周波数データでは、基地局からの電波信号の受信はできない。しかし、図のように例えば、基地局Ａの場合は、相関値が０．１以上である為、この発生したＰＮショートコードに対応する周波数により、基地局Ａの電波信号の受信は可能である。
【００８１】
こうして、相関値が０．１以上となるように、つまりは、ＣＤＭＡ基地局１５ａ等からのＣＤＭＡ基地局信号である電波信号の受信が可能となるようなＰＮショートコードをもとに周波数をスキャンしていく。
そして、このようなＣＤＭＡ基地局１５ａ等からのＣＤＭＡ基地局信号である電波信号から受信したＰＮショートコードと発生したＰＮショートコードとの近似の程度を示す閾値として、たとえば、０．１を図２３の相関値データ７１０ａとして相関値データ格納部７１０に記憶している。相関値データ７１０ａは、どの程度の相関値が検出された場合は、腕時計１０の内部のＣＤＭＡ基地局電波受信機２４が、ＣＤＭＡ基地局１５ａ等からのＣＤＭＡ基地局信号である電波信号のＰＮショートコードを受信できる。つまり、パイロットチャネル（Ｗａｌｓｈ特定関数）信号にＰＮショートコードであるパイロットＰＮコードをミキシングして同期をとることができるかにより決定される。
【００８２】
次に、検出した相関値が相関値データ７１０ａ以上であるかを、ＳＴ３０８の工程で確認する。例えば、検出した相関値が０．１以上であるかが判断される。
具体的には、図２２のＰＮショートコード相関値データ比較プログラム６１２が、検出した相関値と図２３の相関値データ格納部７１０に記憶されている相関値データ７１０ａとを比較して、相関値データ７１０ａ以上となっているかを判断し、相関値が０．１以上である場合は、受信可能と判断する。
つまりは、相関値が相関値データ７１０ａ以上であると判断した場合、当該腕時計１０の所在地域に設定した図６の抽出基地局周波数データ５０５ａと同様な周波数帯であるＣＤＭＡ基地局が存在することとなるからである。
さらに詳細に説明すれば、抽出基地局周波数データ５０５ａを基に図２３のＰＮショートコードデータ７０３ａから発生したＰＮショートコードとＣＤＭＡ基地局１５ａ等からＣＤＭＡ基地局信号である電波信号のＰＮショートコードとが同期する際、相関値が０.１以上、つまり、図２３の相関値データ７１０ａ以上であれば、この発生したＰＮショートコードデータに対応する周波数が腕時計１０の所在する地域のＣＤＭＡ基地局からのＣＤＭＡ基地局信号の受信可能な周波数となる。ここで、ＰＮショートコード発生プログラム６１０、ＰＮショートコード相関値検出プログラム６１１、ＰＮショートコード相関値データ比較プログラム６１２は、周波数検出部の一例であり一部となっている。
【００８３】
そして、図１２のＳＴ３１１に進み、相関値が０.１以上となった際に受信したＰＮショートコードに対応する周波数データを受信可能周波数として、受信可能周波数データ格納部に記憶する。具体的には、ＳＴ３１１は、受信可能周波数スキャンプログラム３０１が、相関値０．１以上となったＰＮショートコードに対応する周波数を、腕時計１０の所在する地域のＣＤＭＡ基地局からのＣＤＭＡ基地局信号の受信可能な周波数として、当該周波数を図６の受信可能周波数データ格納部５０１の受信可能周波数データ５０１ａとして記憶する。
【００８４】
次いで、ＳＴ３１２に進み、基地局受信日時検出対応表作成プログラム３１２が、相関値が０.１以上となったＰＮショートコードを受信した日時を基地局信号受信日時として、そして、この相関値が０.１以上となったＰＮショートコードに対応する周波数である図６の受信可能周波数データ格納部５０１に記憶されている受信可能周波数データ５０１ａを基地局信号受信周波数データとして、これらのデータとを対応させて図６の基地局信号受信日時データ格納部５０４の基地局信号受信日時／基地局周波数データ対応データ５０４ａに記憶する。
【００８５】
ついで、ＳＴ１１２に進み、受信可能周波数データと対応する基地局周波数データ表の基地局周波数データの検出回数をカウントして、受信可能基地局周波数データ／検出回数対応データの検出回数データにＮ＝１として記憶する。この工程は、上述した第１実施の形態での説明と同様である。
【００８６】
次いで、ＳＴ３１４に進み、受信可能周波数スキャンプログラム３０１を終了して、周波数スキャンを終了する。そして、腕時計１０の図２に示すＣＤＭＡ基地局電波受信機２４は、相関値０.１以上となった際のＰＮショートコードを発生させて、ＣＤＭＡ基地局１５ａ等から送信される電波のうち、パイロットチャネルの信号電波を受信するため、パイロットチャネルのスキャンを行い、ＣＤＭＡ基地局１５ａ等からのパイロットチャネルと信号と同期させる。
つまりは、具体的には、図１９に示すような８０ｍｓ毎のスーパーフレームと同期を取るため、図４のパイロットＰＮ同期プログラム３０８を起動して、信号電波をダウンコンバートして、図示しないベースバンド部が、パイロットチャネル（Ｗａｌｓｈ特定関数）信号にＰＮショートコードであるパイロットＰＮコードをミキシングして同期をとる。
【００８７】
そして、ＳＴ１１４に進み、図４の時刻修正プログラム３０３を起動させる。ＳＴ１１４以下の工程は第１実施の形態と同様である。
このように、本発明によれば、腕時計１０の所在地域に関わらず、予め内部に持っている周波数データを使用して、ＣＤＭＡ基地局からの信号を受信できるので、地域に関係なく、速やかに、自動的に時刻修正を行うことができる。
また、さらに、ユーザーの都合に合わせた周波数のスキャン方法の設定も可能である。そして、時間短縮が可能で、消費電力の少ない時刻修正が可能となる。
【００８８】
本発明は、上述の実施の形態に限定されない。
【図面の簡単な説明】
【００８９】
【図１】本発明に係る時刻修正装置付き計時装置である例えば、時刻修正装置付き腕時計を示す概略図である。
【図２】図１の腕時計の内部の主なハードウエア構成等を示す概略図である。
【図３】腕時計の主なソフトウエア構成等を示す概略全体図である。
【図４】図３の各種プログラム格納部内のデータを示す概略図である。
【図５】図３の第１の各種データ記憶部内のデータを示す概略図である。
【図６】図３の第２の各種データ記憶部内のデータを示す概略図である。
【図７】本実施の形態にかかる腕時計の主な動作等を示す概略フローチャートである。
【図８】本実施の形態にかかる腕時計の主な動作等を示す他の概略フローチャートである。
【図９】本実施の形態にかかる腕時計の主な動作等を示す他の概略フローチャートである。
【図１０】本実施の形態にかかる腕時計の主な動作等を示す他の概略フローチャートである。
【図１１】本発明の第２実施の形態にかかる時刻修正装置付き腕時計の主な動作を示す概略フローチャートである。
【図１２】本発明の第２実施の形態にかかる時刻修正装置付き腕時計の主な動作を示す概略フローチャートである。
【図１３】本実施の形態にかかるバンドクラスと周波数対等の関係性を示すデータ表の一例である。
【図１４】本実施の形態にかかるバンドクラスと周波数対等の関係性を示すデータ表の一例である。
【図１５】本実施の形態にかかるバンドクラスと周波数対等の関係性を示すデータ表の一例である。
【図１６】本実施の形態にかかるバンドクラスと周波数対等の関係性を示すデータ表の一例である。
【図１７】本実施の形態にかかる周波数スキャンの方法の一例を示す概略図である。
【図１８】本実施の形態にかかる周波数スキャンの方法の一例を示す概略図である。
【図１９】ＣＤＭＡ基地局から送信される信号の同期タイミング等を示す概略図である。
【図２０】シンクチャネルメッセージの内容を示す概略図である。
【図２１】図４の時刻修正プログラム内のデータを示す概略図である。
【図２２】本発明の第２実施の形態にかかる図３の各種プログラム格納部内のデータを示す概略図である。
【図２３】本発明の第２実施の形態にかかる図３の第１の各種データ記憶部内のデータを示す概略図である。
【符号の説明】
【００９０】
１０・・・時刻修正装置付き腕時計、１２・・・文字板、１５ａ及び１５ｂ・・・ＣＤＭＡ基地局、２４・・・ＣＤＭＡ基地局電波受信機、２５・・・リアルタイムクロック（ＲＴＣ）、２７・・・電池、３０１・・・受信可能周波数スキャンプログラム、３０２・・・周波数スキャン方法選択プログラム、３０３・・・時刻修正プログラム、３０４・・・受信周波数順位表作成プログラム、３０５・・・検出回数データ検出プログラム、３０６・・・受信可能周波数書換プログラム、３０７・・・検出回数／受信可能周波数対応表作成プロラム、３０９・・・前回受信基地局周波数記憶プログラム、３１０・・・ＲＦ受信電力認識プログラム、３１１・・・ＲＦ受信電力比較プログラム、３１２・・・基地局受信日時検出対応表作成プログラム、４０１・・・受信周波数データ格納部、４０１ａ・・・  基地局周波数データ表、４０３ａ・・・閾値ＲＦ受信電力データ、４０４ａ・・・受信可能周波数スキャン方法データ、４０５ａ・・・周波数スキャン方法データ、４１０ａ・・・ＲＦ受信電力データ、５０１ａ・・・受信可能周波数データ、５０２ａ・・・前回受信基地局周波数データ、５０３ａ・・・受信可能基地局周波数データ／検出回数対応データ、５０４ａ・・・基地局信号受信日時／基地局信号受信周波数データ対応データ、５０５ａ・・・抽出基地局周波数データ、６１０・・・ＰＮショートコード発生プログラム、６１１・・・ＰＮショートコード相関検出プログラム、６１２・・・ＰＮショートコード相関値データ比較プログラム、７０３ａ・・・ＰＮショートコートデータ、７１０ａ・・・相関値データ
【図１】
2008175634.tif 000003
【図２】
2008175634.tif 000004
【図３】
2008175634.tif 000005
【図４】
2008175634.tif 000006
【図５】
2008175634.tif 000007
【図６】
2008175634.tif 000008
【図７】
2008175634.tif 000009
【図８】
2008175634.tif 000010
【図９】
2008175634.tif 000011
【図１０】
2008175634.tif 000012
【図１１】
2008175634.tif 000013
【図１２】
2008175634.tif 000014
【図１３】
2008175634.tif 000015
【図１４】
2008175634.tif 000016
【図１５】
2008175634.tif 000017
【図１６】
2008175634.tif 000018
【図１７】
2008175634.tif 000019
【図１８】
2008175634.tif 000020
【図１９】
2008175634.tif 000021
【図２０】
2008175634.tif 000022
【図２１】
2008175634.tif 000023
【図２２】
2008175634.tif 000024
【図２３】
2008175634.tif 000025